(57)【要約】      （修正有）【課題】団扇としての風情やシナリ感を維持した状態で、平坦な印刷表面を達成できる団扇を提供する。【解決手段】使用者が手に持つ把持部と、適宜な輪郭形状を有する扇部２０と、扇部の一方表面に貼着される表面紙と、を有して構成される。扇部２０は、扇部の輪郭形状を形成する外周縁１と、外周縁１に向けて延びる複数本の骨格２と、隣接する骨格の間を接続する薄肉部３と、を有して構成され、薄肉部３及び骨格２は、表面紙と接する接触表面が平坦な同一平面に形成されている。【選択図】図２
0003168373.tif 000002
【実用新案登録請求の範囲】
【請求項１】
使用者が手に持つ把持部と、適宜な輪郭形状を有する扇部と、扇部の一方表面に貼着される表面紙と、を有して構成される団扇であって、
前記扇部は、扇部の輪郭形状を形成する外周縁と、外周縁に向けて延びる複数本の骨格と、隣接する骨格の間に形成された薄肉部と、を有して構成され、
薄肉部及び骨格は、表面紙と接する接触表面が平坦な同一平面に形成されていることを特徴とする団扇。
【請求項２】
前記薄肉部は、表面紙との接触表面全体に形成されている請求項１に記載の団扇。
【請求項３】
前記薄肉部における表面紙との接触表面には、離散的に開口が形成されている請求項１に記載の団扇。
【請求項４】
前記外周縁と、前記骨格と、前記薄肉部とは、プラスチック材料によって一体成形されている請求項１〜３の何れかに記載の団扇。
【請求項５】
前記薄肉部は、０．４ｍｍ以下の厚さに形成されている請求項１〜４の何れかに記載の団扇。
【請求項６】
前記骨格は、略台形状の断面形状に形成されている請求項１〜５の何れかに記載の団扇。
【請求項７】
前記骨格及び外周縁は、０．７〜１．１ｍｍの肉厚に形成されている請求項１〜６の何れかに記載の団扇。
【考案の詳細な説明】
【技術分野】
【０００１】
本考案は、団扇に関し、特に、平坦な表面を有してアイドル写真などを印刷しても表面状態に違和感のない応援団扇に関するものである。
【背景技術】
【０００２】
例えば、人気アイドルグループのコンサート会場の観客は、登場するアイドルの写真が印刷された団扇を振ることで、自己アピールしつつ、お気に入りのアイドルを応援するのが一般的である。
【０００３】
このような場所で使用される団扇は、プラスチック製の基体に、アイドルの顔写真などを印刷した表面紙を貼着して構成されている。そして、プラスチック製の基体は、一般に、使用者が手に持つ把持部と、把持部から放射状に延びる複数本の骨格と、骨格の先端を円環状に接続する外周部と、を有して一体成形されている。
【先行技術文献】
【特許文献】
【０００４】
【特許文献１】実用新案登録  第３０２９３９８号公報
【特許文献１】実用新案登録  第２５５３４７１号公報
【考案の概要】
【考案が解決しようとする課題】
【０００５】
しかし、このような団扇において、隣接する骨格の隙間は空隙となっているので、プレス加工によって表面紙を貼着すると、表面紙が骨格の部分でやや隆起して全体として波打ってしまう。そのため、折角のアイドルの顔写真も、その表情が不自然なものとなり、その価値がやや減殺されてしまうという問題があった。
【０００６】
また、加圧することなく表面紙を骨格に貼着しようとすると作業効率が著しく悪化する。ここで、平坦なプラスチック板を使用して団扇の構成することもできるが、これでは、団扇としての風情に欠ける上に、使用時の団扇独特のシナリ感が消滅するので好ましくない。なお、特許文献１や特許文献２の構成は知られているが、上記の課題を解決できるものではない。
【０００７】
本考案は、上記の問題点に鑑みてなされたものであって、団扇としての風情やシナリ感を維持した状態で、平坦な印刷表面を達成でき、加圧工程を使用して表面紙の貼着作業を終えることができる団扇を提供することを目的とする。
【課題を解決するための手段】
【０００８】
上記の目的を達成するため、本考案は、使用者が手に持つ把持部と、適宜な輪郭形状を有する扇部と、扇部の一方表面に貼着される表面紙と、を有して構成される団扇であって、前記扇部は、扇部の輪郭形状を形成する外周縁と、外周縁に向けて延びる複数本の骨格と、隣接する骨格の間に形成された薄肉部と、を有して構成され、薄肉部及び骨格は、表面紙と接する接触表面が平坦な同一平面に形成されている。
【０００９】
本考案において、前記薄肉部が、表面紙との接触表面全体に形成されているか、前記薄肉部における表面紙との接触表面には、離散的に開口が形成されているのが好ましい。本考案において、外周縁と骨格と薄肉部とは、プラスチック材によって一体成形されるのが好適である。
【００１０】
また、前記薄肉部は、好ましくは、０．４ｍｍ以下の厚さに形成されているべきである。そして、前記骨格は、略台形状の断面形状に形成されているのが好ましい。また、前記骨格及び外周縁は、０．７〜１．１ｍｍの肉厚に形成されているのが好適である。
【考案の効果】
【００１１】
上記した本考案によれば、加圧工程を経て製造しても、平坦な印刷表面を達成することができ、また、団扇としての風情やシナリ感を全く損なわない。
【図面の簡単な説明】
【００１２】
【図１】実施例に係る団扇を示す概略正面図である
【図２】図１の団扇を裏側から描いた概略背面図と、扇部の構成を説明する図面である。
【考案を実施するための形態】
【００１３】
以下、実施例に基づいて本考案を詳細に説明する。図１に示す通り、実施例の団扇ＦＮは、使用者が手に持つ把持部１０と、略円形や略矩形の輪郭を形成する扇部２０と、扇部２０の表裏面を覆って貼着される表面紙２１及び裏面紙２２とで構成されている。
【００１４】
特に限定されるものではないが、表面紙２１には、例えば、アイドルなどの顔写真が鮮明に光沢印刷され、裏面紙２２には、当該アイドルグループに関する情報などが記載されている。
【００１５】
図２（ｂ）は、団扇ＦＮを裏側から描いた概略背面図であり、扇部２０から裏面紙２２を除去した状態を示している。図示の通り、扇部２０は、ここでは略円環状に形成された外周縁１と、外周縁１に向けて放射状に延びる複数本の骨格２・・・２と、隣接する骨格２・・・２の間を接続する薄肉部３と、複数本の骨格２・・・２の要を構成する基端部４と、基端部４に近接して円弧状に形成された弓部５と、を有して構成されている。
【００１６】
扇部２０を構成する上記各部は、把持部１０と共に、プラスチック材によって一体成形される。プラスチック材としては、ポリプロピレン（polypropylene）が好適に使用される。そして、一体成形された扇部２０には、表面紙２１及び裏面紙２２がプレス加工によって貼着される。
【００１７】
本考案の扇部２０は、基端部４と弓部５との間は、隣接する２本の骨格２，２や外周縁１との隙間が空隙となっているが、弓部５と外周縁１の間は、Ａ−Ａ断面図（図２（ｃ））に示す通り、隣接する２本の骨格２，２の隙間が、薄肉部３によって埋められている。特に限定されないが、薄肉部３の肉厚Ｃは、０．４ｍｍ以下、好ましくは、０．２ｍｍ以下、更に好ましくは、０．０５〜０．１２ｍｍ程度に設定されている。
【００１８】
図２（ｄ）のＢ−Ｂ断面図に示す通り、外周縁１は、その断面が変則台形状に形成され、上面１ｂの幅Ｐ１が５〜１０ｍｍ程度、好ましくは、６〜８ｍｍ程度に設定されている。また、傾斜面の水平横幅Ｐ２は、２．５〜３．５ｍｍ程度に設定され、肉厚Ｔは、０．７〜１．１ｍｍ程度、好ましくは、０．８５〜０．９５ｍｍ程度に設定されている。
【００１９】
また、一部拡大図（図２（ａ））や、Ａ−Ａ断面図（図２（ｃ））に示す通り、骨格２は、その断面が正台形状となっている。そして、台形の下面２ａの横幅Ｄ１は、７〜１０ｍｍ程度、上面２ｂの横幅Ｄ２は、２〜３ｍｍ程度に設定され、傾斜面の水平横幅Ｐ２は、外周縁１の場合と同じく、２．５〜３．５ｍｍ程度に設定されている。
【００２０】
外周縁１や骨格２や薄肉部３についての上記寸法は、適宜に変更可能であるが、何れにしても、薄肉部３の底面３ａと、骨格２の底面２ａと、外周縁１の底面１ａと、で平坦な同一平面を構成している。そのため、プレス加圧によって表面紙２１を貼着しても、薄肉部３、骨格２、及び外周縁１で形成される貼着面３ａ，２ａ，１ａ全体が均一に平坦であるので、これに貼着した表面紙２１が波打つことがない。
【００２１】
図２（ｃ）〜図２（ｄ）に示す通り、骨格２の上面２ｂと、外周縁１の上面１ｂとで同一平面を構成している。そして、骨格２の厚さＴは、外周縁１と同じく、０．７〜１．１ｍｍ程度、好ましくは、０．８５〜０．９５ｍｍ程度に設定されている。また、隣接する骨格２と骨格２の離間距離Ｗは、最も離間する骨格の最上部において１０〜２０ｍｍ程度、好ましくは、１３〜１７ｍｍ程度に設定されている。
【００２２】
そのため、外周縁１の上面１ｂと骨格２の上面２ｂとで構成される同一平面に貼着した裏面紙２２についても、ほぼ平坦な貼着面を実現することができる。
【００２３】
実施例の団扇は、扇部２０の外周縁１と骨格２が上記の通りに構成されているので、表面紙２１が波打つことがなく、アイドル写真などを貼着しても、アイドルの表情が不自然に変形するおそれがない。また、裏面紙２２についても、ほぼ平坦に貼着することができる。また、隣接する２本の骨格２の隙間を埋める薄肉部３の肉厚は、０．２ｍｍ以下であるので、団扇独特のシナリ感を損なうことがなく、また、使用材料がいたずらに増加することもない。また、この団扇は、そのプラスチック部分が成形型によって一体成形できるので、製造コストが上がることもない。また、表面紙２１や裏面紙２２の貼着処理も容易である。
【００２４】
以上、本考案の実施例について詳細に説明したが、具体的な記載内容は特に本考案を限定するものではない。例えば、上記した実施例では、隣接する２つの骨格２，２の隙間は、全て薄肉部３で埋められているが、必ずしも、この構成に限定されず、薄肉部３に適宜な開口穴ＨＯを離散的に設けるのも好ましい（図２（ｅ）参照）。
【００２５】
開口穴ＨＯの形状は、特に限定されないが、例えば、表面紙２１を貼着する平坦表面を阻害しない範囲で、隣接する骨格の間を、径方向に楕円状に延びる長穴とすることができる。また、表面紙２１を貼着する平坦表面を阻害しない範囲で、多数の丸穴を散点状に形成しても良い。
【００２６】
また、骨格２や外周縁１の断面形状は、必ずしも台形状にする必要はなく、例えば、図２（ｅ）のように矩形断面としても良い。このような構成を採ると、裏面紙２２についても、その貼着面積を増やすことができ好ましい。更に、図２（ｅ）のような構成を採ることで、表面側又は裏面側に向けて、団扇に張り（たわみ）が生じる可能性を低減することができる。
【００２７】
ここで、張りが生じる可能性を完全に解消するには、図２（ｆ）や図２（ｇ）に示すように、表面側と裏面側を実質的に同一構成にするのが好ましい。図２（ｆ）の構成では、表面側と裏面側に、離散的且つ均一に薄肉部３を設けている。このような場合、必ずしも、上下対称の断面形状にする必要はなく、図２（ｇ）のように、表面側の薄肉部と裏面側の薄肉部３を交互に設けるのも好適である。
【００２８】
図２（ｆ）や図２（ｇ）の構成を採る場合には、表面紙２１だけでなく裏面紙２２についても平坦な貼着表面を実現することができる。
【００２９】
なお、扇部の形状は、略円形や略矩形に限定されず、円弧形状や三角形状など任意の異形形状とすることができるのは勿論である。
【符号の説明】
【００３０】
１０      把持部
２０      扇部
２１      表面紙
１        外周縁
２        骨格
３        薄肉部
ＦＮ      扇
【図１】
0003168373.tif 000003
【図２】
0003168373.tif 000004